(57)【要約】【課題】  光ディスクにゴミが付着しても、高速化かつ安定した同期をとることができる。【解決手段】  アドレスエリアＡＲ１の前半においてグルーブヘッダＧＲＨ、その後半においてランドヘッダＬＨが形成されている。グルーブヘッダＧＲＨのピット列は、グルーブＧＲの延長線上であってそのウォブリングと同じ周期かつ同じ位相でウォブリングされて形成される。また、ランドヘッダＬＨのピット列は、ウォブリングしているランドの延長線上にあって、グルーブＧＲのウォブリングと同じ周期であるものの位相が反転してウォブリングされて形成されている。【選択図】        図３
2006134569.tif 000002
【特許請求の範囲】
【請求項１】
セクタ毎にアドレスエリアとユーザエリアとが割り当てられ、上記ユーザエリアではグルーブが蛇行して形成されるとともに、それに対応してランドも蛇行して形成され、上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されている光ディスクに対して、レーザビームを照射してその反射光を検出する光学ヘッドと、
上記光学ヘッドの検出出力に基づいて、上記グルーブ、上記グルーブヘッダ及び上記ランドヘッダのエンボスピットの蛇行形状に対応するウォブリング信号を検出するウォブリング信号検出手段と、
検出された一定周期のウォブリング信号に基づいてクロックを生成するクロック生成手段とを備えるクロック生成装置。
【請求項２】
セクタ毎にアドレスエリアとユーザエリアとが割り当てられ、上記ユーザエリアではグルーブが蛇行して形成されるとともに、それに対応してランドも蛇行して形成され、上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されている光ディスクに対して、レーザビームを照射してその反射光を検出し、
上記反射光の検出出力に基づいて、上記グルーブ、上記グルーブヘッダ及び上記ランドヘッダのエンボスピットの蛇行形状に対応するウォブリング信号を検出し、
検出された一定周期のウォブリング信号に基づいてクロックを生成することを特徴とするクロック生成方法。
【請求項３】
データ記録面を放射状の領域に分割して複数のセクタが形成され、
各セクタではアドレスエリアとユーザエリアとに割り当てられ、
上記ユーザエリアではグルーブが蛇行して形成されるとともに、それに対応してランドも蛇行して形成され、
上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されていることを特徴とする光ディスク。
【請求項４】
上記ユーザエリアのグルーブ及びランドは、データが記録可能であること又はデータが記録されていることを特徴とする請求項３記載の光ディスク。
【発明の詳細な説明】
【技術分野】
【０００１】
本発明は、光ディスクから同期信号を生成するためのクロック生成装置等に関する。
【背景技術】
【０００２】
光ディスクにアドレスを形成する手法として、光ディスクを作製する際に予めピットをエンボスで形成することが知られている。
【０００３】
光ディスクでは、例えば記録再生の単位となるユーザデータ２０４８バイト毎にセクタとしてブロック分けされ、セクタの先頭にそのヘッダであるセクタアドレスが形成されている。
【０００４】
そして、上記光ディスクの記録再生装置は、このセクタアドレスを読み取り、所望のセクタアドレスであることを確認してから、このヘッダに続く記録再生エリアにデータを記録／再生している。
【０００５】
【特許文献１】特開平８−３２１０７６号公報
【発明の開示】
【発明が解決しようとする課題】
【０００６】
ところで、今日では、光ディスクのカバーの厚さが非常に薄いものが提案されている。例えば、光ディスクのカバーの厚さが０．１ｔ（＝０．１［ｍｍ］）程になると、光ディスクの表面に付着しているゴミによって何らかの影響が生じることも少なくない。
【０００７】
例えば、ユーザエリアに記録されているデータは、ゴミの付着によってエラーが生じることがある。しかし、冗長度を大きくしてエラー訂正能力を強化することによって、そのエラーが生じるのを回避することができる。
【０００８】
これに対して、アドレスエリアでは、そのエリア自体が小さく、エラー訂正能力を強力にすると冗長になってしまうので、エラー訂正能力を強化することができない。したがって、ゴミの付着等によってアドレスエリアが覆われてしまうと、同期をとることが困難になる。特に、同期の引き込みを行っている場合には、同期をとる時間がかかってしまうという問題がある。
【０００９】
本発明は、このような実情に鑑みて提案されたものであり、光ディスクにゴミが付着しても、高速化かつ安定した同期をとることができるクロック生成装置、クロック生成方法及び光ディスクを提供することを目的とする。
【課題を解決するための手段】
【００１０】
上述の課題を解決するために、本発明に係るクロック生成装置は、セクタ毎にアドレスエリアとユーザエリアとが割り当てられ、上記ユーザエリアではグルーブが蛇行して形成されるとともに、それに対応してランドも蛇行して形成され、上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されている光ディスクに対して、レーザビームを照射してその反射光を検出する光学ヘッドと、上記光学ヘッドの検出出力に基づいて、上記グルーブ、上記グルーブヘッダ及び上記ランドヘッダのエンボスピットの蛇行形状に対応するウォブリング信号を検出するウォブリング信号検出手段と、検出された一定周期のウォブリング信号に基づいてクロックを生成するクロック生成手段とを備えることを特徴とする。
【００１１】
また、本発明に係るクロック生成方法は、セクタ毎にアドレスエリアとユーザエリアとが割り当てられ、上記ユーザエリアではグルーブが蛇行して形成されるとともに、それに対応してランドも蛇行して形成され、上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されている光ディスクに対して、レーザビームを照射してその反射光を検出し、上記反射光の検出出力に基づいて、上記グルーブ、上記グルーブヘッダ及び上記ランドヘッダのエンボスピットの蛇行形状に対応するウォブリング信号を検出し、検出された一定周期のウォブリング信号に基づいてクロックを生成することを特徴とする。
【００１２】
さらに、本発明に係る光ディスクは、データ記録面を放射状の領域に分割して複数のセクタが形成され、各セクタではアドレスエリアとユーザエリアとに割り当てられ、上記ユーザエリアではグルーブが蛇行して形成されるとともに、それに対応してランドも蛇行して形成され、上記アドレスエリアにおいて、グルーブヘッダのエンボスピットが、上記グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されていることを特徴とする。
【発明の効果】
【００１３】
以上詳細に説明したように、本発明に係るクロック生成装置及びクロック生成方法によれば、グルーブ、及び、互いに逆位相のウォブリング信号を与えるように形成されているグルーブヘッダ及びランドヘッダのエンボスピットの蛇行形状に対応するウォブリング信号を検出し、検出された一定周期のウォブリング信号に基づいてクロックを生成することによって、高速化かつ安定したクロックを生成して同期をとることができる。
【００１４】
本発明に係る光ディスクによれば、アドレスエリアにおいて、グルーブヘッダのエンボスピットが、グルーブの延長線上であって上記グルーブの蛇行と同じ周期かつ同位相で蛇行して形成されるとともに、ランドヘッダのエンボスピットが、上記ランドの延長線上であって上記ランドの蛇行と同じ周期かつ位相が反転されて形成されており、上記グルーブヘッダのエンボスピットと上記ランドヘッダのエンボスピットが互いに逆位相のウォブリング信号を与えるように形成されていることによって、高速化かつ安定したクロックを生成することができる。
【発明を実施するための最良の形態】
【００１５】
以下、本発明の実施の形態について、図面を参照して詳細に説明する。
【００１６】
本発明に係る光ディスクは、例えば図１に示す構成の光ディスク１に適用することができる。
【００１７】
上記光ディスク１は、データ記録面を放射状の領域に分割してセクタ構造を形成するとともに、上記データ記録面を同心円上に分割して複数のゾーンＺ０〜Ｚｎを形成する。
【００１８】
各セクタの先頭には、アドレスが書き込まれるアドレスエリアＡＲ１が割り当てられ、続く残りの領域には、通常のデータが書き込まれるユーザエリアＡＲ２が割り当てられる。ユーザエリアＡＲ２では、同期情報を得ることができるようにグルーブＧＲが蛇行（ウォブリング）して形成される。なお、ユーザエリア２において、ランドもこれに対応してウォブリングして形成される。よって、グルーブＧＲとランドは、光ディスク１の径方向に対して互いに隣り合うように構成される。
【００１９】
最内周のゾーンＺ０のトラックでは、グルーブＧＲが所定の周期にわたって蛇行するように形成され、外周側のゾーンに移るにしたがって、順次グルーブＧＲの蛇行数が増加するように形成される。このグルーブＧＲは、いわゆるゾーンＣＡＶ（Constant Liner Velocity ）状に形成されている。アドレスエリアＡＲ１は、光ディスク上に離散的に配され、セクタ単位のアドレス情報が記録される。アドレスエリアＡＲ１においては、グルーブＧＲの一定周期に相当する長さが割り当てられている。
【００２０】
ここで、グルーブ記録方式の光ディスクでは、アドレスエリアＡＲ１において、図２に示すように、グルーブＧＲによるトラックセンタ上にグルーブヘッダＧＲＨのエンボスピット列が形成されている。グルーブヘッダＧＲＨのエンボスピット列は、グルーブＧＲのウォブリングと同じ周期かつ同じ位相で、ウォブリングされて形成されている。
【００２１】
これにより、レーザビームがユーザエリアＡＲ２のグルーブ（例えば位置Ａ）を照射しているときに同期情報（ウォブリング信号）が得られ、また、その照射位置がユーザエリアＡＲ２からアドレスエリアＡＲ１（例えば位置Ｂ）に変わったときでも、グルーブヘッダＧＲＨから同じウォブリング信号を得ることができる。
【００２２】
また、ランド／グルーブ記録方式の光ディスクでは、図３に示すように、アドレスエリアＡＲ１の前半においてグルーブヘッダＧＲＨ、その後半においてランドヘッダＬＨが形成されている。グルーブヘッダＧＲＨのピット列は、上述したグルーブ記録方式と同様に、グルーブＧＲの延長線上であってそのウォブリングと同じ周期かつ同じ位相でウォブリングされて形成される。一方、ランドヘッダＬＨのピット列は、上述したウォブリングしているランドの延長線上にある。また、このランドヘッダＬＨのピット列は、グルーブＧＲのウォブリングと同じ周期であるものの位相が反転してウォブリングされて形成されている。ここで、ランドヘッダＬＨのピット列の位相が反転されているのは、グルーブＧＲの反射光から得られるウォブリング信号とランドの反射光から得られるウォブリング信号とは、互いに位相がπだけ異なるからである。
【００２３】
これにより、グルーブ記録方式の場合と同様に、レーザビームがユーザエリアＡＲ２のグルーブＧＲ（例えば位置Ｃ）を照射しているときにウォブリング信号が得られ、また、その照射位置がユーザエリアＡＲ２からアドレスエリアＡＲ１（例えば位置Ｄ）に変わったときでも、グルーブヘッダＧＲＨから同じウォブリング信号を得ることができる。さらに、レーザビームの照射位置が、グルーブヘッダＧＲＨのピット列を通過してランドヘッダＬＨのピット列の間（例えば位置Ｅ）に移動した場合であっても、同じウォブリング信号が得られる。また、上記光ディスク１は、例えば図４に示す構成のマスタリング装置１０によってディスク原盤が露光されて作製される。
【００２４】
上記マスタリング装置１０は、ウォブル信号発生回路１１及びアドレス信号生成回路１２からの信号を合成して駆動信号ＳＤを出力する合成回路１３と、上記駆動信号ＳＤに基づいて光学ヘッド１５を駆動する駆動回路１４と、ディスク原盤１６を回転駆動するスピンドルモータ１７と、図示しないシステム制御回路とを備える。
【００２５】
ウォブル信号発生回路１１は、ディスク原盤１６の回転に同期した所定の周波数の正弦波信号をウォブル信号ＷＢとして出力する。また、ウォブル信号発生回路１１は、ゾーニングに対応して、ウォブル信号ＷＢの周波数を段階的に増大させて出力する。これによりウォブル信号発生回路１１は、このウォブル信号ＷＢによりレーザビーム照射位置を変位させて、１セクタ当たり所定の周期にわたってグルーブＧＲを蛇行させる。
【００２６】
アドレス信号生成回路１２は、図示しないシステム制御回路の制御により、光学ヘッド１５の変位に応じて順次値の変化するアドレス信号ＳＡを生成する。
【００２７】
具体的には、アドレス信号生成回路１２は、ディスク原盤１６の回転に同期したＦＧ信号等からなるタイミング信号をスピンドルモータ１７等から受け、このタイミング信号を所定のカウンタによりカウントして、レーザビーム照射位置を示すアドレスデータＩＤを生成する。このとき、アドレス信号生成回路１２は、アドレスデータＩＤに対してセクタマークＳＭ、同期用のタイミングデータＶＦＯ、アドレスマークＡＭ、ポストアンブルＰＡを付加して、それぞれアドレスエリアＡＲ１の前半部分及び後半部分に割り当てるグルーブヘッダＧＲＨ及び必要に応じてランドヘッダＬＨを生成する。このとき、グルーブヘッダＧＲＨは、グルーブＧＲのウォブリングと同じ周期かつ同じ位相でウォブリングされ、ランドヘッダＬＨは、それと位相が反転するようにウォブリングされる。なお、同期用のタイミングデータＶＦＯとしては、ユーザエリアＡＲ２の先頭部分で同期用のタイミングデータＶＦＯとして記録／再生されるクロックパターンと同じクロックパターンが生成される。アドレス信号生成回路１２は、このようにして生成したセクタヘッダを、シリアルデータ列に変換し、このシリアルデータ列を所定フォーマットにより変調する。
【００２８】
そして、アドレス信号生成回路１２は、この変調出力をアドレス信号ＳＡとして合成回路１３に供給する。アドレス信号生成回路１２は、このアドレス信号ＳＡをレーザビームＬの走査に対応するタイミングにより出力する。
【００２９】
駆動回路１４は、ディスク原盤１６の回転に同期したタイミングにより、レーザビーム照射位置に応じて、光学ヘッド１５の駆動の条件を切り換えることにより、ディスク原盤１６をゾーニングする。具体的には、駆動回路１４は、ディスク原盤１６の情報記録面を放射状の領域に分割してセクタ構造を形成するように、光学ヘッド１５の駆動条件を切り換える。さらにこの切り換えのタイミングを内周側より外周側に段階的に変化させることにより、情報記録面を同心円上に分割して複数のゾーンＺ０〜Ｚｎを形成する。
【００３０】
また、駆動回路１４は、上記システム制御回路の制御に従い、このユーザエリアＡＲ２において、駆動信号ＳＤによりレーザビーム照射位置を変位させ、これによりこのユーザエリアＡＲ２にグルーブＧＲを蛇行させて形成する。
【００３１】
アドレスエリアＡＲ１においては、このアドレスエリアＡＲ１の前半部分で、レーザビーム照射位置の変位を中止し、駆動信号ＳＤによりレーザビームの光量を間欠的に立ち上げ、これによりグルーブＧＲによるトラックセンタ上にピット列を形成する。またアドレスエリアＡＲ１の後半部分で、レーザビーム照射位置を内側のランドによるトラックセンタ上に変位させ、駆動信号ＳＤによりレーザビームの光量を間欠的に立ち上げ、これによりランドによるトラックセンタ上にピット列を形成する。
【００３２】
このとき、駆動回路１４は、アドレスエリアＡＲ１の前半側には、続くグルーブＧＲによるセクタのアドレスデータをトラックセンタ上にピット列により記録して、アドレスエリアＡＲ１の後半側には、続く内周側のランドによるセクタのアドレスデータをトラックセンタ上にピット列により記録するようになされている。
【００３３】
光学ヘッド１５は、光学系がディスク原盤１６の半径方向に可動するように構成されている。また、光学ヘッド１５は、ディスク原盤１６より光ディスクを作成した際に、レーザビームＬの露光により形成されるグルーブＧＲと隣接するグルーブＧＲ間のランドの幅とがほぼ等しくなるように、レーザビームＬのスポット径が設定される。ここでは、最終目標であるグルーブＧＲの幅に対してレーザビームＬによる実効的な露光範囲が拡大するように、レーザビームＬのスポット形状、光量が設定される。したがって、光学ヘッド１５は、このディスク原盤１６により作成される光ディスクがランド／グルーブＧＲ間に記録可能に、ディスク原盤１６を露光する。
【００３４】
ディスク原盤１６は、例えばガラス基板の表面にレジストが塗布されてなる。ディスク原盤１６は、スピンドルモータ１７により角速度一定で回転駆動される。そして、光学ヘッド１５は、所定のスレッド機構により、このディスク原盤１６の回転に同期して、ディスク原盤１６の内周側より順次外周側に変位しながら、ディスク原盤１６にレーザビームＬを照射する。これにより光学ヘッド１５は、ディスク原盤１６の内周側より外周側に、螺旋状にトラックを形成する。
【００３５】
以上のような処理を経て、マスタリング装置１０は、ディスク基盤１６にレーザビームＬを照射することによって上述した光ディスク１を作製することができる。
【００３６】
つぎに、図５を用いて、上記光ディスク１にデータを記録し、又は上記光ディスク１のデータを再生する記録再生装置２０について説明する。
【００３７】
上記記録再生装置２０は、レーザビームを介してデータの記録／再生を行う光学ヘッド２１と、データを所定のフォーマットに変換処理する記録再生回路２２と、光学ヘッド２１を光ディスクの径方向に移動させるためのスレッドモータ２３と、トラッキング／フォーカシングの制御を行うサーボ回路２４と、光ディスクから読み出しているデータのアドレスを検出するアドレス検出回路２５と、光ディスクを回転させるためのスピンドルモータ２６とを備える。
【００３８】
光学ヘッド２１は、後述するシステム制御回路３２，記録再生回路２２を介して供給されるデータをレーザビームを介して光ディスク１に記録する。ここで、記録再生回路２２は、システム制御回路３２から供給されるデータを所定のフォーマットに変換してから光学ヘッド２１に供給する。
【００３９】
上記記録再生回路２２は、上記データを例えば図６に示すような構成のセクタ単位に変換し、光学ヘッド２１を介して光ディスク１に記録する。セクタは、エンボスピットから形成されるヘッダエリアと、８ｋバイトの記録再生エリアから構成される。
【００４０】
ヘッダは、セクタマーク（ＳＭ），同期用のタイミングデータＶＦＯ１，ＶＦＯ２，アドレスマーク（ＡＭ１，ＡＭ２），ＩＤ１，ＩＤ２，ポストアンブル（ＰＡ１，ＰＡ２）とから構成されている。グルーブではヘッダ１、ランドではヘッダ２が形成されている。ギャップ（Ｇａｐ１，Ｇａｐ２，Ｇａｐ３）は、タイミング信号の切換時間等に用いられる。ガード（Ｇｕａｒｄ１，Ｇｕａｒｄ２）は、記録開始及び記録終了のガードエリアである。このガードエリアは、一定の長さに加え、記録の度に記録データの位置をｊ＿ｃｈ移動する。これにより、記録開始及び記録終了位置のデータを用いることがなくなり、オーバーライトによる記録開始、終了位置の記録特定の劣化をデータに影響しないようにしている。また、記録データ位置を記録のたびに移動させることにより、オーバーライト回数の改善を図る。ＶＦＯは、記録データのＰＬＬ引き込み領域である。ＳＹＮＣは、データの開始位置を示す。Ｂｕｆｆｅｒは、偏心等のジッタの影響を吸収するエリアである。なお、１セクタでは、グルーブは４０８周期蛇行するように形成されている。
【００４１】
一方、エラー訂正ブロックは、図７に示すように、６４ｋバイト単位で構成される。また、記録再生２ｋデータセクタとしても扱うことができる。そのときは、６４ｋバイト単位でエラー訂正ブロックを記録再生し、その中から所望の２ｋバイトデータを記録再生する。具体的には、１７２バイトのデータに対して、２４バイトのパリティを付加している。なお、インターリーブ長は、３８４バイトである。
【００４２】
図８には、フレームの構成を示す。フレームシンクは、ｄｃｃビットとともに、各フレームの先頭にある。フレームデータは、エラー訂正ブロックの１インターリーブのデータを４個に分けたものである。各フレームは、１６個のｄｃｃブロックにより構成される。ｄｃｃブロックは、フレームデータを１６個に分けたデータと、ｄｃｃにより構成される。
【００４３】
また、上述した光学ヘッド２１は、レーザビームの光ディスク１からの反射光の検出出力を記録再生回路２２，サーボ回路２４，アドレス検出回路２５，ウォブリング信号発生回路２７に供給する。
【００４４】
サーボ回路２４は、光学ヘッド２１の検出出力からフォーカスエラー信号を生成し、このフォーカスエラー信号に基づいて光学ヘッド２１のフォーカシング制御を行う。また、サーボ回路２４は、光学ヘッド２１の検出出力からプッシュプル信号を生成し、このプッシュプル信号に基づいて光学ヘッド２１のトラッキング制御を行う。
【００４５】
アドレス検出回路２５は、光学ヘッド２１の検出出力からアドレスデータをデコードし、エラーの検出等を行ってから、デコードされたアドレスをシステム制御回路３２に供給する。
【００４６】
また、上記記録再生装置２０は、上述の図５に示すように、ウォブリング信号を発生するウォブリング信号発生回路２７と、上記ウォブリング信号の周期を検出するウォブリング周期検出回路２８と、ＰＬＬ回路２９と、アドレスの位置をカウントするクラスタカウンタ３０と、所定の制御プログラムを記憶するＲＯＭ３１と、各回路を制御するシステム制御回路３２とを備える。
【００４７】
ウォブリング信号検出回路２７は、ウォブリング信号からノイズ成分を除去するためのバンド・パス・フィルタ（ＢＰＦ）２７ａと、二値化処理を行うコンパレータ２７ｂとを備える。ＢＰＦ２７ａには、光学ヘッド２１を介して、光ディスク１に記録されているグルーブのウォブリングの検出出力（ウォブリング信号）が供給される。ＢＰＦ２７ａは、上記ウォブリング信号のノイズを除去してコンパレータ２７ｂに供給する。コンパレータ２７ｂは、ＢＰＦ２７ａからのウォブリング信号に二値化処理を行ってウォブリング検出パルスを得て、このウォブリング検出パルスをウォブリング周期検出回路２８に供給する。
【００４８】
ウォブリング周期検出回路２８は、上記ウォブリング検出パルスの周期性を判定し、これが一定の周期性を有するものであれば、ＰＬＬ回路２９に供給する。
【００４９】
従来では、ウォブリング周期検出回路２８は、同期がとれていないときは、一定の周期性を有するウォブリング検出パルスを検出することができない。しかし、上記光ディスク１には、グルーブＧＲ及びランドだけでなく、アドレスエリアＡＲ１においてもウォブリングされているグルーブヘッダＧＲＨ及びランドヘッダＬＨＧが形成されている。したがって、ウォブリング周期検出回路２８は、グルーブ及びランドだけでなく、アドレスエリアから得られるウォブリング信号に基づいて、たとえ光ディスク１にゴミが付着していたとしても、従来よりも速く一定の周期を有するウォブリング検出パルスを得ることができる。
【００５０】
ＰＬＬ回路２９は、位相比較器２９ａと、高周波のノイズ成分を除去するロー・パス・フィルタ（ＬＰＦ）２９ｂと、電圧制御発振器（ＶＣＯ）２９ｃと、分周器２９ｄとを有する。
【００５１】
位相比較器２９ａは、ウォブリング周期検出回路２８からのウォブリング検出パルスと分周器２９ｄからのパルスとの位相を比較して、その位相の誤差を示す位相比較エラー信号をＬＰＦ２９ｂを介してＶＣＯ２９ｃに供給する。ＶＣＯ２９ｃは、上記位相比較エラー信号に基づいてチャンネルクロック（以下、「Ｒ／Ｗクロック」という。）を発生し、これを分周器２９ｄ及びクラスタカウンタ３０に供給する。分周器２９ｄは、システム制御回路３２によって分周比が制御され、ＶＣＯ２９ｃからのＲ／Ｗクロックを分周し、ウォブリング信号の周波数と同じ周波数のパルスを生成して位相比較器２９ａに供給する。かかる処理によって、上記ウォブリング信号に基づいて、Ｒ／Ｗクロックが生成される。
【００５２】
このように、ＰＬＬ回路２９は、光ディスク１から得られたウォブリング信号に基づいて、精度の良いＲ／Ｗクロックを生成することができ、これにより、冗長なく高密度にデータの記録／再生が可能になる。特に、アドレスエリアＡＲ１からもウォブリング信号が生成されるので、従来よりも、同期の引き込み動作の開始から早く記録再生処理を行うことができる。
【００５３】
クラスタカウンタ３０は、アドレス検出回路２５からのアドレスとＶＣＯ２９ｃからのＲ／Ｗクロックとに基づいて、アドレス周期に同期した同期信号処理を行い、次のアドレスの位置をカウントする。また、クラスタカウンタ３０は、次のアドレスの位置を検出することができないときは、このカウンタより次のアドレスの位置を決定し、アドレスをカウントアップする。
【００５４】
システム制御回路３２は、クラスタカウンタ３０によって検出されたアドレスをもとに、スレッドモータ２３の回転を制御して、光学ヘッド２１を光ディスク上の所定の位置にアクセスし、クラスタ記録再生タイミングに合わせてデータの記録及び／又は再生処理を行う。また、ＲＯＭ３１にはアドレスに対応する分周器２９ｄの分周比のデータが記憶され、システム制御回路３２は、ＲＯＭ３１のデータに基づいて分周器２９ｄの分周比を制御している。そして、システム制御回路３２は、記録再生回路２２を制御して、光学ヘッド２１から読み出されたデータに所定の信号処理を施して外部に出力し、また、外部から入力されたデータを所定のフォーマットに変換して光学ヘッド２１を介して光ディスク１に記録させる。
【００５５】
以上のように、上記記録再生装置２０は、グルーブＧＲだけでなくグルーブヘッダＧＲＨ及びランドヘッダＬＨに基づいてウォブリング信号を検出して同期をかけることができるので、より速くかつ安定的にアドレスの位置、すなわち光学ヘッド２１の位置を特定することができる。また、スピンドルモータ２６もより速く安定して回転するように制御することができる。
【００５６】
例えば、光ディスク１に付着するゴミの影響が大きくなってその結果アドレスエリアの情報を読み出すことができなくなっても、グルーブＧＲやランドから、さらにはアドレスエリアのグルーブヘッダＧＲＨやランドヘッダＬＨからウォブリング信号を得ることができるので、そのウォブリング信号の同期情報から正確なクロックを得ることができ、各回路の同期をとることができる。
【００５７】
換言すると、アドレスエリアのエラー訂正能力は低くてもよく、これにより、効率のよいフォーマットを形成することができる。
【図面の簡単な説明】
【００５８】
【図１】本発明を適用した光ディスクの構成図である。
【図２】上記光ディスクの各セクタの構成図である。
【図３】ランド／グルーブ記録方式の光ディスクの各セクタの構成図である。
【図４】上記光ディスクを作製するマスタリング装置の構成を示すブロック図である。
【図５】上記光ディスクの記録再生装置の構成を示すブロック図である。
【図６】上記光ディスクに記録されているセクタの構成図である。
【図７】上記光ディスクに記録されているＥＣＣブロックの構成図である。
【図８】上記光ディスクに記録されているフレームの構成図である。
【符号の説明】
【００５９】
１ 光ディスク、２１ 光学ヘッド、２７ ウォブリング信号発生回路、２８ウォブリング周期検出回路、２９ ＰＬＬ回路
【図１】
2006134569.tif 000003
【図２】
2006134569.tif 000004
【図３】
2006134569.tif 000005
【図４】
2006134569.tif 000006
【図５】
2006134569.tif 000007
【図６】
2006134569.tif 000008
【図７】
2006134569.tif 000009
【図８】
2006134569.tif 000010